(57)【要約】本発明は、縦軸に沿ったほぼ円筒形または円錐形の作業ゾーンを備える歯科用リーマ型根管用器具であって、その器具はＸ個のらせん状切り込みリップを形成するＸ個のらせん状溝を備え、切り込みリップは二つの連続した溝の交差によって形成される器具であり、ただし、Ｘは３以上である器具において、器具の横断面では、器具の縦軸に対して測定した二つの連続した切り込みリップ間の角度（αＩ、βＩ、γＩ）は全て異なることを特徴とする器具に関する。本発明はまた、円筒形または円錐形の棒から、本発明による根管用器具を作製する方法に関する。棒は、例えば金属または合金製で、曲げ強さや形状記憶というその力学的特性で選択され、例えば、ニッケル−チタン製である。本発明の方法は、溝を所定の深さに研削する加工段階、および加工グラインダの正面での棒の回転段階という、一連の段階を含む。【選択図】図２ａ
2014513575.tif 000002
【特許請求の範囲】
【請求項１】
器具の縦軸に沿ったほぼ円筒形または円錐形の作業ゾーンを備える歯科用リーマ型根管用器具であって、その作業ゾーンはＸ個のらせん状切り込みリップを形成するＸ個のらせん状溝を備え、切り込みリップは二つの連続した溝の交差によって形成される器具であり、ただし、Ｘは３以上である器具において、器具の横断面では、器具の縦軸に対して測定した二つの連続した切り込みリップ間の角度（αＩ、βＩ、γＩ）は全て異なることを特徴とする器具。
【請求項２】
器具の横断面で、その横断面の重心（Ｋ）に対して測定した二つの連続した切り込みリップ間の角度（αＫ、βＫ、γＫ）は全て異なることを特徴とする請求項１に記載の器具。
【請求項３】
器具の縦軸（Ｉ）に対して、または横断面の重心（Ｋ）に対して測定した二つの連続した切り込みリップ間の角度は、器具の作業ゾーンの一部分では一定であることを特徴とする請求項１または２に記載の器具。
【請求項４】
器具の縦軸に対して、または横断面の重心に対して測定した二つの連続した切り込みリップ間の角度は、器具の作業ゾーンの一部分では異なることを特徴とする請求項１または２に記載の器具。
【請求項５】
切り込みリップの切り込み角度は全て異なることを特徴とする請求項１〜４のいずれか一つに記載の器具。
【請求項６】
同一の横断面では、らせん角度は全て異なることを特徴とする請求項１〜５のいずれか一つに記載の器具。
【請求項７】
全ての切り込みリップは、縦軸に中心があり、直径が全て異なる同心円上に配置されている。
【請求項８】
Ｘ＝３個のらせん状溝を備える、請求項１〜７のいずれか一つに記載の器具。
【請求項９】
円筒形または円錐形の棒からの請求項１〜８のいずれか一つに記載の根管用器具の作製方法であって、その方法は、溝を、各加工段階で異なるものである所定の深さに研削することによる加工段階、および加工グラインダの正面での棒の回転段階という、一連の段階を交互に含む方法。
【請求項１０】
三つのらせん状溝を有する器具の作製方法であって、その方法は
・棒の縦軸に沿ったらせん状溝の第一の深さの第一の加工、
・縦軸に沿った第一の角度の棒の回転、
・棒の縦軸に沿ったらせん状溝の第一の深さとは異なる第二の深さの第二の加工、
・縦軸に沿った第二の角度の棒の回転、
・棒の縦軸に沿ったらせん状溝の第一の深さおよび第二の深さとは異なる第三の深さの第三の加工、
を含む請求項９に記載の方法。
【請求項１１】
第二の角度は第一の角度とは異なり、また、３６０°から第一の角度の二倍を引いたものとも異なることを特徴とする請求項９または１０に記載の方法。
【発明の詳細な説明】
【技術分野】
【０００１】
本発明は、縦軸に沿ったほぼ円筒形または円錐形の作業ゾーンを備える歯科用リーマ型根管用器具であって、その器具はＸ個のらせん状切り込みリップを形成するＸ個のらせん状溝を備え、切り込みリップは二つの連続した溝の交差によって形成される器具に関する。そのような器具は、歯内治療において歯根を整えるために使用される。
【背景技術】
【０００２】
欧州特許第０８０１９３０号明細書には、三つの切り込みリップを備え、その頂点が正三角形の頂点を形成するようなリーマが記載されている。そのような器具は、整えるべき根管の断面が非円形であるときを除けば満足できるものである。さらに、その器具が根管内を前進するとき、器具は根管壁内にねじ込まれ、はめ込まれる傾向があるが、それによって、根管壁が損傷し、治療の対象である患者を傷つける危険性がある。欧州特許第１２１４０１３号明細書には、三つの切り込みリップを備え、その頂点が二等辺三角形の頂点を形成するリーマが記載されている。この器具の非対称的な断面によって、根管の断面が円形でないときはそのリーマはより有効であるが、根管内を前進するとき器具はやはりはめ込まれ、ねじ込まれる傾向がある。
【発明の概要】
【発明が解決しようとする課題】
【０００３】
ねじ込まれることの問題は、らせんを有する根管用器具の場合重大である。実際、概念によると、これらの器具はらせん状の溝の存在によってねじ込まれるという自然な傾向を有する。ところが、患者を傷つけないおよび／または歯根管を損傷しないためには、ねじ込まれることによる危険性を最大限抑えることが必要不可欠である。
【課題を解決するための手段】
【０００４】
本発明は、従来の器具の欠点を全くまたは一部分しか示さない、新規な根管用器具を提案するものである。より正確には、本発明は、器具の縦軸に沿ったほぼ円筒形または円錐形の作業ゾーンを備える歯科用リーマ型器具であって、その作業ゾーンはＸ個のらせん状切り込みリップを形成するＸ個のらせん状溝を備え、切り込みリップは二つの連続した溝の交差によって形成される器具であり、ただし、Ｘは３以上である。本発明によると、器具の横断面では、器具の縦軸に対して測定した二つの連続した切り込みリップ間の角度は全て異なる。
【０００５】
そのような角度では、横断面は対称軸も対称中心も示さず、横断面の非対称度はさらに増大する。したがって、従来の器具と比較して、器具の断面の非対称度は増大する。そのようにして、器具が根管の内部を前進するとき器具が蛇行して進む可能性を大きくする。器具の複数の稜は同時に根管壁とは接触せず、また同時に根管壁を切断しない。器具はより容易に根管内に挿入され、くねるように前進し、それによって、器具がねじ込まれることによる危険性、はめ込まれることによる危険性を制限する。
【０００６】
さらに器具の断面の非対称度を増大させるために、横断面の重心に対して測定した二つの連続した切り込みリップ間の角度も同様に全て異なるようにすることができる。
【０００７】
別の実施態様では、器具の縦軸に対して、または横断面の重心に対して測定した二つの連続した切り込みリップ間の角度は、器具の作業ゾーンの一部分では一定であることができる。また別の実施態様では、器具の縦軸に対して、または、横断面の重心に対して測定した二つの切り込みリップ間の角度は、器具の作業ゾーンの一部分では異なる。器具の一部分とは、ここでは、器具の作業ゾーンの長さ全体または器具の作業ゾーンの一部のみに対応可能である。二つのリップ間の角度を変化させて、さらに器具の非対称度を、したがって、器具の有効性を増大させる。
【０００８】
本発明による器具では、また、切り込みリップの角度を全て異なるように作製することができる。二つの連続した溝の交差によって形成される切り込みリップでは、切り込み角度とは、作業ゾーンの横断面の平面内で、切り込み方向の側に位置する溝の接線と、切り込み稜と器具の軸を通過する線によって形成される角度である。
【０００９】
したがって、切り込みリップが根管壁を切るようにさらなる非対称性が形成され、これによって、さらに、根管壁内へ器具がねじ込まれることおよびはめ込まれることの危険性を制限する。
【発明の効果】
【００１０】
また、常に非対称性を増大する目的で、器具の同一横断面の高さでのらせん角度を全て異なるように作製することができる。らせん角度とは、該当する横断面内での器具の縦軸と切り込みリップの接線との間の角度である。
【００１１】
さらに、縦軸に中心をとり、直径が全て異なる同心円上に全ての切り込みリップを配置することができる。この形状はさらに少し横断面を変形させ、その非対称性をより増大させる。
【００１２】
本発明の別の実施態様では、器具はＸ＝３個のらせん状溝を備える。したがって、切り込みリップの頂点は不規則な三角形を形成する。また別の実施態様では、器具はＸ＝４個のらせん状溝を備え、したがって、切り込みリップの頂点は不規則な四角形を形成する。より大きな数の溝を備える器具を作製することができるが、器具の作製の困難さは溝の数と共に増大する。
【００１３】
本発明はまた、円筒形または円錐形の棒から、本発明による根管用器具を作製する方法を提案する。棒は、例えば金属または合金製で、特に曲げ強さや形状記憶というその力学的特性で選択され、例えば、ニッケル−チタン製である。その方法は、溝を、各加工段階で異なるものである所定の深さに研削することによる加工段階、および加工グラインダの正面での棒の回転段階という、一連の段階を含む。例えば、三つのらせん状溝を有する器具の作製のための方法は、
・棒の縦軸に沿ったらせん状溝の第一の深さの第一の加工、
・器具の縦軸に沿った第一の角度の棒の回転、
・棒の縦軸に沿ったらせん状溝の第一の深さとは異なる第二の深さの第二の加工、
・縦軸に沿った第二の角度の棒の回転、
・棒の縦軸に沿ったらせん状溝の第一の深さおよび第二の深さとは異なる第三の深さの第三の加工、
を含む。
【００１４】
連続した二つの切り込みリップ間に全く異なる角度を作製するためには、第二の角度は第一の角度とは異なり、３６０°から第一の角度の二倍を引いたものとも異なるように選択される。したがって、得られる器具の横断面の形状はほぼ三角形の形状（切り込みリップの頂点を通過する三角形）を有し、二等辺三角形ではなく正三角形でもなく、いかなる対称軸も対称中心もない。
【００１５】
本発明は、本発明による器具の実施例の以下の記載からより良く理解され、本発明の他の特徴および利点が明らかになるであろう。この実施例は、非限定的な実施例である。以下の説明は、下記の添付図面を参照して行うものとする。
【図面の簡単な説明】
【００１６】
【図１】本発明による器具の正面図。
【図２ａ】図１の器具の作業ゾーンのＡ−Ａ断面図。
【図２ｂ】図１の器具の作業ゾーンのＡ−Ａ断面図。
【図３ａ】作業ゾーンの正面図。
【図３ｂ】図３ａに対して第一の角度でずらした（縦軸に沿って回転した器具）作業ゾーンの正面図。
【図３ｃ】図３ｂに対して第二の角度でずらした作業ゾーンの正面図。
【図４ａ】作業ゾーンのＢ−Ｂ断面図。
【図４ｂ】図４ａに対して第一の角度でずらした（縦軸に沿って回転した器具）作業ゾーンのＢ−Ｂ断面図。
【図４ｃ】図４ｂに対して第二の角度でずらした作業ゾーンのＢ−Ｂ断面図。
【発明を実施するための形態】
【００１７】
前記のように、本発明は歯科用リーマ型根管用器具であって、該器具は、その器具の縦軸、すなわち器具の切削される円筒形または円錐形の棒の縦軸に沿って、ほぼ円筒形または円錐形の作業ゾーン１を備えている。縦軸は直線である。
【００１８】
図示した実施例では、器具はＸ＝３個のらせん状切り込みリップＳ１、Ｓ２、Ｓ３を形成するＸ＝３個のらせん状溝Ｇ１、Ｇ２、Ｇ３を備え、切り込みリップは連続した二つの溝の交差で形成される。図示した実施例ではまた、器具はハンドピースまたはコントラアングルのような器具台に器具を固定するのに適したスリーブを備える。
【００１９】
本発明によると、器具の横断面（Ａ−Ａ断面またはＢ−Ｂ断面を参照）上で、器具の縦軸に垂直な平面内では、縦軸（点Ｉ、横断面と縦軸との交点）に対して測定した連続した二つの切り込みリップ間の角度αＩ、βＩ、γＩは全て異なる。
【００２０】
また、図示した実施例では、横断面の重心Ｋに対して測定した連続した二つの切り込みリップ間の角度αＫ、βＫ、γＫは全て異なる。このように、従来の器具とは異なって、リップＳ１、Ｓ２、Ｓ３がその頂点を通過する三角形は正三角形でも二等辺三角形でもなく、より正確には、この三角形はいかなる対称軸もいかなる対称中心も示さない。
【００２１】
図２ａ、２ｂでは、同一のＡ−Ａ断面が、一方では縦軸に対して測定した二つの連続した切り込みリップ間の角度αＩ、βＩ、γＩを、もう一方では横断面の重心Ｋに対して測定した連続した二つの切り込みリップ間の角度αＫ、βＫ、γＫを、単純により明確に図示するために、二度図示されていることに注目されたい。
【００２２】
本発明による器具では、横断面の特殊な形状から、断面の重心Ｋは器具の縦軸に対してずれていることが分かるであろう。各横断面の重心Ｋは、らせん型曲線上に存在する。
【００２３】
また、図示した実施例では、縦軸に対する切り込みリップ間の角度αＩ、βＩ、γＩまたは横断面の重心Ｋに対する切り込みリップ間の角度αＫ、βＫ、γＫは互いに異なるが、作業ゾーンの全ての断面、作業ゾーンの長さ全体にわたっては一定である。例として、約１４０〜１８０°の角度αＩまたはαＫ、約１２０〜１６０°の角度βＩまたはβＫおよび約２０〜１００°の角度γＩまたはγＫは、根管壁へねじ込まれること、はめ込まれることを最小限にして、根管を整えるために特に有効な器具を作成する。
【００２４】
切り込みリップの実際のピッチＰｒ１、Ｐｒ２、Ｐｒ３は、同一の切り込みリップの二つの対応する外形の間の軸方向の距離であり、すなわち、切り込みリップに沿って３６０°移動するときにたどる距離の縦軸上の投影である。全ての切り込みリップＳ１、Ｓ２、Ｓ３の実際のピッチは、各々同一で、Ｐｒ１＝Ｐｒ２＝Ｐｒ３＝Ｐｒである（図３ａ〜３ｃ）。
【００２５】
切り込みリップの見かけ上のピッチは、連続した二つの切り込みリップの二つの対応する外形間の軸方向の距離であり、Ｐａ１＝Ｐｒ＊（αＩ／３６０）、Ｐａ２＝Ｐｒ＊（βＩ／３６０）、Ｐａ３＝Ｐｒ＊（γＩ／３６０）である。切り込みリップ間の角度αＩ、βＩ、γＩは全て異なるが、見かけ上のピッチＰａ１、Ｐａ２、Ｐａ３もまた互いに全て異なる。
【００２６】
また、図示した実施例では、全ての切り込みリップは中心Ｉの、直径Φｄ１、Φｄ２、Φｄ３が全て異なる同心円上に配置されている。これらの円は、器具の縦軸、すなわち、器具が切削される前の元の円筒形または円錐形の棒の縦軸上に中心がある。
【００２７】
さらに、図示した実施例では、所定の横断面上で、らせん角度δ１、δ２、δ３は全て異なる（図３ａ〜３ｃ）。らせん角度とは該当する横断面内での、器具の縦軸と切り込みリップの接線との間の角度である。
【００２８】
また、所定の横断面（ここではＡ−Ａ断面またはＢ−Ｂ断面）において切り込み角度は全て異なる。切り込み角度とは。注目されるのは、連続した二つの溝の交差で形成される所定の切り込みリップでは、切り込み角度とは、作業ゾーンの横断面の平面内で、切り込み方向の側に位置する溝の接線と、切り込み稜および器具の軸（点Ｉ）を通過する線（加工面の垂線）によって形成される角度である。図４ａ〜４ｃで、切り込み角度はε１、ε２およびε３である。
【符号の説明】
【００２９】
１  作業ゾーン
Ｇ１、Ｇ２、Ｇ３  らせん状溝
Ｉ  器具の縦軸
Ｋ  重心
Ｓ１、Ｓ２、Ｓ３  切り込みリップ
αＩ、βＩ、γＩ  連続した二つの切り込みリップ間の角度
αＫ、βＫ、γＫ  連続した二つの切り込みリップ間の角度
【先行技術文献】
【特許文献】
【００３０】
【特許文献１】欧州特許第０８０１９３０号明細書
【特許文献２】欧州特許第１２１４０１３号明細書
【図１】
2014513575.tif 000003
【図２ａ】
2014513575.tif 000004
【図２ｂ】
2014513575.tif 000005
【図３ａ−３ｃ】
2014513575.tif 000006
【図４ａ−４ｃ】
2014513575.tif 000007
【国際調査報告】
2014513575.tif 000008
2014513575.tif 000009
2014513575.tif 000010
2014513575.tif 000011
2014513575.tif 000012
2014513575.tif 000013